(57)【要約】  【課題】  作業環境面および印刷版、印刷機等に問題なく使用できる、優れた洗浄力を有する水性インキ用洗浄組成物を提供することを課題とする。  【解決手段】  尿素（ａ）２〜１０重量%、一般式（１）で表されるアルキルアルコール（ｂ）５〜２０重量％、一般式（２）で表される水溶性ジオール（ｃ）２０〜４０重量％、グリセリン（ｄ）２〜１０重量％、および水３５〜５５重量％を含む水性インキ用洗浄剤組成物。R1−OH  (1)〔式中、R1は炭素数２，３のアルキル基〕HO−R2−OH  (2)  〔式中R2は炭素数１〜４のアルキル基〕  【選択図】なし【特許請求の範囲】
【請求項１】
尿素（ａ）２〜１０重量％、一般式（１）で表されるアルキルアルコール（ｂ）５〜２０重量％、一般式（２）で表される水溶性ジオール（ｃ）２０〜４０重量％、グリセリン（ｄ）２〜１０重量％、および水３５〜５５重量％を含む水性インキ用洗浄剤組成物。
R1−OH  (1)
〔式中、R1は炭素数２，３のアルキル基〕
HO−R2−OH  (2)
〔式中R2は炭素数１〜４のアルキル基〕
【請求項２】
アルキルアルコール（ｂ）がエチルアルコールである請求項１記載の水性インキ用洗浄剤組成物。
【請求項３】
水溶性ジオール（ｃ）が1,2-プロパンジオールである請求項１または２記載の水性インキ用洗浄剤組成物。
【発明の詳細な説明】
【技術分野】
【０００１】
本発明は水性のインキ、塗料および、接着剤、ワニスなどのコーティング剤（以下「水性インキ組成物」という）の洗浄剤に関する。特に、グラビア、フレキソ印刷作業時の版および印刷機等に付着した水性インキの洗浄に適した洗浄剤に関する。
【背景技術】
【０００２】
近年、地球環境の保全、資源の有効活用、作業環境の改善といった観点から、印刷インキ、塗料、接着剤、ワニスなどのコーティング剤分野では、溶剤型から水性型への転換が進められている。水性型に適用される樹脂は一般にアンモニア、有機アミン類などの揮発性の中和剤が用いられることが多い。
【０００３】
しかし、これらの中和剤が揮発した乾燥皮膜は水に溶け難い傾向がある。グラビア、フレキソ印刷作業時に使用する印刷版に付着した水性インキは、インキ皮膜が乾燥する前に洗浄したほうが除去しやすい。しかし、通常の印刷には複数の版が使用されることが多いこと、トラブルによる機械停止の際は作業人員、作業性の問題から、インキが乾燥した後で洗浄する場合が多い。その場合、水、またはアルコールと水が混合された水性インキ専用の希釈溶剤を用いても、インキの除去が困難であった。
【０００４】
従来においては上記のような乾燥した水性インキ皮膜の洗浄の際にはメチルエチルケトン、サクサンエチル等の有機溶剤が用いられていた。しかし、有機溶剤は低引火点であるため安全性の面で問題があった。さらに、これらの有機溶剤が誤って水性インキ組成物に混入した場合、インキ状態に異常をきたし、水性インキ組成物が使用不能になるおそれもあった。またフレキソ印刷に用いられるフレキソ版は一般に耐溶剤性に乏しく、上記有機溶剤による洗浄はできなかった。
また、揮発性有機アミン類や、水溶性の塩基性無機塩を用いた水性型洗浄剤もあるが、アミン類を使用した水性型洗浄剤では臭気があり作業環境を悪化させていた。水溶性の塩基性無機塩を用いた水溶性洗浄剤は一般的にアルカリ性が高く皮膚刺激性があり取り扱いに注意を要した。
【０００５】
【特許文献１】特開２００３−３０１１９７号公報
【発明の開示】
【発明が解決しようとする課題】
【０００６】
本発明の目的は、作業環境面および印刷版、印刷機等に問題なく使用できる、優れた洗浄力を有する水性インキ用洗浄組成物を提供することにある。
【課題を解決するための手段】
【０００７】
すなわち本発明は、尿素（ａ）２〜１０重量％、一般式（１）で表されるアルキルアルコール（ｂ）５〜２０重量％、一般式（２）で表される水溶性ジオール（ｃ）２０〜４０重量％、グリセリン（ｄ）２〜１０重量％、および水３５〜５５重量％を含む水性インキ用洗浄剤組成物に関する。
R1−OH  (1)
〔式中、R1は炭素数２，３のアルキル基〕
HO−R2−OH  (2)
〔式中R2は炭素数１〜４のアルキル基〕
また、本発明は、アルキルアルコール（ｂ）がエチルアルコールである上記水性インキ用洗浄剤組成物に関する。
さらに、本発明は、水溶性ジオール（c）が1,2-プロパンジオールである上記水性インキ用洗浄剤組成物に関する。
【発明の効果】
【０００８】
本発明の水性インキ用洗浄剤組成物は、水性インキ組成物の洗浄剤、特にグラビア、フレキソ印刷作業時の版および印刷機等に付着した水性インキに優れた洗浄力を有する。さらに、乾燥した皮膜の除去に対しても優れる。また、水性インキの溶解成分に有機アミン類や塩基性無機塩を使用していないため臭気がなく、中性であるため取り扱いが安全である。
【発明を実施するための最良の形態】
【０００９】
以下、本発明の構成について詳しく述べる。
【００１０】
本発明において用いられる尿素は、水性インキに対して優れた洗浄力を持ち、さらにその水溶液は乾燥速度が遅く優れた保水性を有する。
本発明の水性インキ用洗浄剤組成物全量に対する尿素の配合割合は２〜１０重量％である。２重量％未満の場合には、洗浄性、保水性が不足し、１０重量％を超えた場合には低温時に析出するおそれがあり使用できない。
【００１１】
また、必要に応じてアンモニア、アルキルアミン例えばメチルアミン、エチルアミン、モノエタノールアミン、ジエタノールアミン、トリエタノールアミン、のような有機塩基性化合物等を混合して用いることができる。
【００１２】
本発明において用いられるアルキルアルコール(b)は、下記一般式(1)で表されるものである。
R1-OH (1)
[式中、R1は炭素数２，３のアルキル基]
アルキルアルコールの具体例としては、エチルアルコール、n-プロピルアルコール、iso-プロピルアルコールを挙げることができる。これらからは1種、または2種以上の組み合わせで用いることができる。特に食品用途として用いるインキの場合エチルアルコールを用いることが好ましい。
【００１３】
アルキルアルコール(b)は、水性インキに対して優れた洗浄力を有している。この性質から、本発明水性インキ洗浄剤組成物全量に対して５〜２０重量％の範囲で配合される。混合比率が５重量％未満の場合は、乾燥した水性インキ皮膜への洗浄剤の浸透性が劣るため洗浄性が不充分であり、２０重量％を超えた場合は、乾燥性が早くなりふき取る前に乾燥してしまうため使用できない。
【００１４】
本発明において用いられる水溶性ジオール(c)は下記の一般式で表されるものである。
HO-R2-OH  (2)
〔式中R2は炭素数1〜4のアルキル基〕
ここでR2の炭素数は水溶性であること、常温で液体であり、比較的入手し易い等の用件を満たすための条件を満たす。Ｒ2の炭素数は、入手容易性等の点から２〜４が好ましい。
【００１５】
水溶性ジオール(c)の具体例としては、1,2-エタンジオール、1,2-プロパンジオール、1,3-プロパンジオール、1,3-ブタンジオール、1,4-ブタンジオールを挙げることができる。これらは1種、または2種以上の組み合わせで用いることができる。特に、臭気、安全性の点から1,2-プロパンジオールを使用することが好ましい。
【００１６】
水溶性ジオール(c)は、乾燥速度が遅く保水性を有している。以上の性質から、本発明の水性インキ用洗浄剤組成物全量において20〜40重量％の範囲で配合される。混合比率が20重量％未満では乾燥性が早くなりふき取る前に乾燥してしまう。また40重量％を超えた場合は洗浄剤の乾燥性が著しく遅くなって版等に残留し、印刷に悪影響を及ぼす可能性があるので使用できない。
【００１７】
本発明で用いられるグリセリン(d)は 乾燥速度が遅く保水性を有している。以上の性質から、本発明の水性インキ用洗浄剤組成物全量において2〜10重量％の範囲で配合される。混合比率が2重量%未満では乾燥性が早くなりふき取る前に乾燥してしまう。また10重量％を超えた場合は洗浄剤の乾燥性が著しく遅くなって版等に残留し、印刷に悪影響を及ぼす可能性があるので使用できない。
【００１８】
本発明の水性インキ用洗浄剤組成物全量に対する水の配合割合は35〜55重量％である。
【００１９】
本発明の洗浄剤組成物を用いた洗浄方法とは、グラビア、フレキソ印刷作業時の版および印刷機当に付着した水性インキと、本発明の洗浄剤組成物が接触して洗浄処理が行われれば特に制限するものではない。例えば、印刷作業時に本洗浄剤組成物を直接布切れなどにしみ込ませて、グラビア、フレキソ印刷作業時の版および印刷機等に付着した水性インキをふき取ったり、または専用の版洗浄機などの洗浄剤としても使用可能である。また、洗浄媒体に塗布しておくことでインキの乾燥を防止することができ、時間が経過しても容易に洗浄することが可能である。なお、本発明の水性インキ用洗浄剤組成物のpHは、皮膚刺激性等の原因における取扱いの関係上、7〜9が好ましく、7〜8であることがさらに好ましい。
【実施例】
【００２０】
以下、実施例により本発明を説明するが、本発明はこれに限定されるものではない。尚、実施例中「％」とは「重量％」を表す。
〔実施例1〜5、比較例1〜10〕
表１の処方に従って各成分を配合し、均一に攪拌して各洗浄組成物を調整した。得られた各洗浄組成物について、以下に示す項目の性能確認を行い、結果を表１に示した。
【００２１】
評価方法および判定基準は以下の通りである。
・  洗浄性
水性フレキソインキについて、フレキソ印刷機を用いてそれぞれ印刷を行った。印刷中に印刷機を30分間停止後、刷版に付着した乾燥インキをウェスにしみ込ませた各洗浄剤組成物にてふき取り、乾燥インキが完全に洗浄できたふき取り回数で評価した。
◎:   1回
○:  2〜4回
△:  5〜10回
×:  11回以上ふき取りしてもほとんど洗浄できない。
【００２２】
・  版膨潤性
マヨネーズ瓶に各洗浄剤組成物を100ml入れ、これに30mm×30mmの大きさにカットしたフレキソ印刷用樹脂版（サイレル、3mm厚、デュポン社製）を24時間浸漬した。その後これを取り出して大きさを計測し、浸漬前の大きさと比較した。
◎:  まったく変化無し。
○:  1%未満の変化が認められる。
△:  1〜5%未満の変化が認められる。
×:  5%以上の変化が認められる。
【００２３】
・  貯蔵安定性
マヨネーズ瓶に各洗浄剤組成物を100ml入れ、5℃環境下で１週間保存した後、析出、沈殿分離物の有無を目視にて評価した。
○:  析出、沈殿分離物なし。
△:  若干の析出、沈殿分離物あり。
×:  著しい析出、沈殿分離物あり。
【００２４】
・  乾燥性
ガラス板の上に各洗浄剤組成物を10mlたらし、室温に一日放置後の状況を目視にて判定。
○:  乾いている。
×:  乾いていない。
【００２５】
・  臭気
各洗浄剤組成物の官能臭気を評価。
○:  臭気がない。
△：  若干の臭気がある。
×:  かなりの臭気がある。
【００２６】
【表１】
2005187673.tif 000002